(57)【要約】【課題】  現在着物は着付けの難しさから着物離れが起きている。着物を着るのはごく一部の人に限られている。  従来からある二部式着物は着やすさに重点が置かれており、伝統的な着姿の美しさは十分表現されていない。【解決手段】  上位と下位に分けた二部式着物に於いて、着物の要所に紐を取り付け、一定の手順で着ることにより、容易にまた着姿が伝統的な着物と同様に見える着物を実現する。【特許請求の範囲】
【請求項１】
上衣および下衣に分離可能な二部式着物であって、
前記上衣に於いて、
内側の背縫い近傍に、前記背縫いをまたいで左右に紐先が取り付けられた背紐と、
上前襟先止まり近傍に取り付けられた上前襟先紐と、
下前襟先止まり近傍に取り付けられた下前襟先紐と、
上前襟先の下端部に取り付けられた上前おはしょり紐と、
下前襟先の下端部に取り付けられた下前おはしょり紐と、
を有する二部式着物。
【請求項２】
前記二部式着物の下衣に於いて
腰線に沿って、上前おくみと、上前前身ごろと、上前前身ごろと、右前前見ごろと、下前々身頃とに連接して取り付けられたウエスト紐と、前記下前前身ごろにした前おくみ線を介して縫合わせられている下前おくみを有し、前記下前おくみには腰線側で且つ下前おくみ線近傍に、複数の紐通しが前記おくみ線に略並行になる様な向きに取り付けられ、前記下前おくみの腰線側で且つ下前衿下線近傍に、複数の紐通し孔を取り付けたことを特徴とした請求項１に記載の二部式着物。
【請求項３】
前記二部式着物の下衣に於いて、
各部を縫合している長手方向の縫い線の長さが、前記下衣背縫いの部分を頂点に、前記下衣の左右に向かって短くなっていることを特徴とした、請求項１乃至請求項２に記載の二部式着物。
【請求項４】
前記二部式着物の下衣に於いて、後身丈が前身丈より長く構成された、求項１乃至請求項３に記載の二部式着物。
【発明の詳細な説明】
【技術分野】
【０００１】昨今、着物の着付けが面倒且つ困難であるという理由で、老若男女を問わず着物離れの傾向にある。その反面、着物着用時の上品な美しさは、年齢を問わず多くの女性の心を捉え、憧れであるといっても過言ではない。実際に、着物着付け教室に通い、その着付け手法を習得したいと考えている女性は多い。
しかし本人が着物を着る以外でも、七五三や習い事等、子供に着物を着付ける必要がある場面において、時間、費用共に経済的な負担も大きく、特に高齢の女性にとっては長時間の着付けは身体への負担となる。【０００２】  この点を改良しようとしたものに、着物を上衣と下衣の２つに分割して着る二部式着物がある。これは従来から使われている技術であるが、着姿や着易さにおいてまだ不十分であり、従来の着物に換わるものにはなっていない。
本発明は、時間と費用をかけずに、年齢を問わず美しく着用できる二部式着物及び着付け方法に関する。
【背景技術】
【０００３】  着付けの難しさの大きな原因のひとつに、着付けに使用する紐の取り扱いがある。着付けには紐を最低でも三本以上使用し、通常着物には固定されていない。したがって紐で形を整えるためにはどうしても体を締め付ける事になる。その上、紐で着姿を微妙に調整しながら行うので着付けに長時間かかる場合多い。
また、着付けが難しいという事は、もし着崩れが生じたときに自分で、短時間に修復が難しいということになる。【０００４】  しかし、従来の二部式着物は、着物を着るに当たって最も大切である伝統的な美しい着付け仕上がりを追及するものではない。多くの二部式着物は着易さに主眼が注がれており、着用した状態で一般の着物と比較すると、たとえば裾やおはしょりの部分などに違いが表れ、見る人が見れば一目で一般の着物でないことが分かってしまう。二部式着物はそれなりの文化とも言えるが、一般の着物に代替できるものではない。長年の伝統で磨かれてきた日本の着物の、着付けの美しさは従来の二部式着物方法では表現されていない。【０００５】  これらのことから現在着物は日常着るものという認識から離れ、特別な時にしか着ないものになり、需要が減り、産業としては衰退の一途をたどっている。
そのため一般庶民は着る機会が非常に少なくなり、実用を離れ、高額化し、一部の人の趣味のためのものまたは何かの行事にのみ着る為のレンタル用のものになっている。
【二部式着物の各部名称】
【０００６】  着物各部の名称はほぼ統一されているが、本願特許発明品の様に従来にない構成をとる場合は従来にない、または従来と異なる名称になる可能性がある。本願特許を説明する上で必要な名称を図１〜図２及び主な記号の説明に記載の通り定義する。
【先行技術文献】
【０００７】
【特許文献１】特開２０１４−０１９９５７  おはしょりが直線
【０００８】
【特許文献２】特許２９１６７６４  下衣が直線的
【発明の概要】
【発明が解決しようとする課題】
【０００９】  従来からある二部式着物は前述のように着やすさに重点が置かれており、着付けの美しさは十分表現されていない。たとえば、特許文献１に記載の二部式着物であるが、おはしょり部分の着上がりが直線になり、通常の着物のように柔らかさを演出できない。【００１０】  また着やすさ、着崩れのしにくさとの点でも、特許文献２に記載の二部式着物では、上衣には紐が固定されておらず、着衣のときはともかくとして、着崩れが生じたときには対処が難しい。また下衣の腰線は直線状であり、これでは腰部のふくらみを吸収して普通の着物の様に見せるには無理があり、二部式着物の特徴が生かしきれていない。【００１１】  さらに、従来の二部式着物は着用した状態で一般の着物と比較すると、たとえばおはしょりの部分などに違いが表れ、見る人が見れば一目で一般の着物でないことが分かってしまう。これは感性の問題なので一概に良い悪いとはいえないが、長年の伝統で磨かれてきた日本の着物の、着付けの美しさは従来の二部式着物では表現されていない。【００１２】  本願発明の課題は、気やすいだけではなく着付けの美しさに於いても本来の着物に勝るとも劣らない二部式着物を実現することにある。
本発明のポイントは、着付けしやすく、着崩れを防ぐために着物を、上衣と下衣に分け、その分割の形状とそれらを締めるための紐の取り付け位置とその引き回しにあると言える。紐の取り付け位置を研究した結果、着付けの際の四大難関（裾の広がり、衿元の崩れ、おはしょりの成形、衣紋の成形）の解消に成功した。
【課題を解決するための手段】
【００１３】  これら課題を解決するために本願発明では、
着物を上衣および下衣に分離可能して二部式着物とし、
上衣に於いては、
内側の背縫い近傍に背紐を左右方向に取り付け、
上前襟先止まり近傍に上前襟先紐を取り付け、
下前襟先止まり近傍に下前襟先紐を取り付ける。
上前襟先の下端部に上前おはしょり紐を取り付け、
下前襟先の下端部に下前おはしょり紐を取り付ける。【００１４】下前のおはしょりを右の脇縫いから左衿元に向かい左斜め上がり形状に仕上げる。
上前のおはしょりを左の脇縫いから左衿元に向かい略二分の一までは右斜め上がりの形状に仕上げ、残りの略二分の一から右斜め下がりの形状に仕上げる。【００１５】  また、下衣に於いては後身丈を前身丈より長く、つまり前記背縫いが左右のおくみ線より長くなる形状に仕立てる。
下衣の腰部にはウエスト紐を取り付ける。【００１６】  下前おくみ線と下前の襟下までの間の上部に、紐通と紐通しを引き出し可能な紐通しホールを設け、紐通しの左側（外側）に前身ごろ中央よりおくみに向かい一定間隔で複数設ける。
これにより身幅を容易に調整することが可能となるので、着用する人に合わせて最適な身幅に合わせて着用することができるようになる。着用者が痩身の場合に必要であれば、紐通しホールに紐通しをくぐらせ、その輪にウエスト紐を通す。これにより身幅を容易に調整することが可能となる。身幅の調整が不要の場合は、紐通しホールと紐通しを使用しなくても良い。【００１７】  下衣を着用するには、ウエスト紐をウエストラインに沿って体に巻きつけ、体の後ろで交叉させ、体の前で結ぶ。
前述のように後身丈を前身丈より長く仕立ててあるので、下衣は体の腰部の丸みを無理なく包み、自然に褄先の上がりも形成され、すっきりとした着物姿を作り出すことができる。【００１８】  次に上衣であるが、背中心から背縫いがずれないように、背紐６の左右両端を、上衣の内側を通し、体の背中から体の前へ引き出し、体の前で結ぶ。【００１９】  下前衿先紐と下前おはしょり紐は体の前面で合わせて、上前身ごろの内側に通し、左側の身八つ口より引き出して体の背面にまわす。
上前衿先を下前身ごろの前に重ねるのと合わせて、下前身ごろの前に上前衿先を重ねる。そして上前衿先紐を右身八口のほうに引いておく。
上前おはしょり紐は下身ごろの内側を通して右身八口より引き出し、上前衿先紐とまとめてからだの背面にまわし、上前衿先紐及び下前おはしょり紐と
結ぶ。【００２０】  このとき上前おはしょりが下前おはしょりの裏側に回りこむように上前おはしょり紐を、下前身ごろの内側から右身八口を通し、右後ろ身頃の前に引いてある上衿先紐袖と合わせ、体の背面で下前衿先紐および下前おはしょり紐と結ぶか、または交差させた後複数の前記紐を引き出し、下前衿先紐と上前衿先紐を、衿元を整えながら胸の下で結ぶ。
下前おはしょり紐を左身八つ口より引き出す。下前おはしょりを上前おはしょりで包み込みながら、上前おはしょり紐を下前見ごろの内川に通し、右身八つ口より引き出す。
下前おはしょり紐と上前おはしょり紐を、両側身八つ口より引き合うことによって、おはしょり線が締まりながら形づくのを確認し、上前おはしょり紐と下前おはしょり紐を体の後ろで交叉した後体の前に回して結ぶ。【００２１】  また、おはしょり先に紐を取り付け、身八つ口からその紐を引上げることにより、着付け技術者が手を深く入れて押し上げて形付けるような役割を実現する。【００２２】衿元にも紐を取り付け、おはしょり先の紐と共に後ろで交差して前に回して結ぶ【００２３】  あとは、上衣と下衣の重なる部分に、所望のおはしょりの幅なるように帯を巻きつける。帯により上衣と下衣の重なり部分は隠れ、長着と同じような着姿を実現できる。
【発明の効果】
【００２４】  従来の二部式着物は短時間で着付けをすることに重点を置いて作られており、最も大切である伝統的な美しい着付け仕上がりを追及するものではない。【００２５】  本発明は着付けの際に背中心にあるべき背縫いがずれることを防ぎ、着用時の動作によって崩れやすいえもんの抜きを安定させる効果がある。
本発明の二部式着物はウエスト部分に付けた紐を結ぶことにより、裾の衿先を自然に上がるように工夫されているため、今までの二部式着物に見られる裾の広がりを解決した。【００２６】  一人で着物をける場合、背縫いを背中心にもってくることは困難であるが、背縫い上に紐を付けることにより、この問題は解消される。【００２７】  着付け技術の中で、おはしょりの始末がその仕上がりの美しさを左右することは周知の事実であるが、理想的に作り上げることは困難を極める。
当該に二部式着物はその問題点を解決すべく、おはしょり先に紐を位置し、身八つ口からその紐を引上げることにより、着付け技術者が手を深く入れて押し上げて形付けるような役割を実現することが出来る。【００２８】  衿元にも紐を取り付けて、おはしょり先の紐と共に後ろで交差して前に回して結ぶことで、襟元がしっかりと固定され、上半身の動作による衿元崩れを防ぐことができる。
上記の改良により、着物の四大難関である裾の広がり、衿元の崩れ、おはしょりの成形、衣紋の成形を解決することができる。【００２９】  昨今、着物の着付けが面倒且つ困難であるという理由で、着物離れの傾向にあるとはいえ、着物着用時の上品な美しさは、年齢を問わず、依然多くの女性の心を捉え、憧れである。これらの夢をいくらかでも満たすことができる。これにより衰退している着物関連産業がいくらかでも復活できればその社会的効果は大きい。
【図面の簡単な説明】
【図１】上衣正面図
【図２】上衣背面図
【図３】下衣正面図
【図４】下衣に紐通しした状態の図
【図５】下衣紐通の拡大図
【発明を実施するための形態】
【００３０】  まず、最初に下衣を着用し、その際、着用する人の身幅に合わせる。着用者が痩身の場合に必要であれば、紐通しホール４５に紐通し４４をくぐらせ、その輪にウエスト紐４６を通す。これにより、伝統的な下前折り返し手法をとったのと同様に、身幅を容易に調整することが可能となる。身幅の調整が不要の場合は、紐通しホール４５と紐通し４４を使用しなくても良い。
【００３１】  ウエスト紐４６をウエストラインに沿って体に巻きつけ、体の後ろで交叉させ、体の前で結ぶ。後身丈を前身丈より長く仕立てる事により、上記の方法で、体型問わず、体の腰部の丸みを無理なく包み、自然に褄先の上がりも形成され、すっきりとした着物姿を作り出せる。
【００３２】  次に上衣であるが、背中心から背縫いがずれないように、背紐６の左右両端を上衣の内側を通し、体の背中から体の前へ引き出し、体の前で結ぶ。
下前衿先紐１０を体の前面で上前見ごろの下を通し、左側の身八つ口より引き出す。上前衿先紐９は下前身ごろの上を通し、体の後ろで、下前衿先紐と上前衿先紐を、衿元を整えながら胸の下で結ぶ。
【００３３】  下前おはしょり紐１２を左身八つ口より引き出す。下前おはしょり２２を上前おはしょり２３で包み込みながら、上前おはしょり紐１３を引上げて、右身八つ口１４より引き出す。下前おはしょり紐１２と上前おはしょり紐１３を、両側身八つ口より引き合うことによって、おはしょり線が締まりながら形づくのを確認し、上前おはしょり紐と下前おはしょり紐を体の後ろで交叉して体の前で結ぶ。
【００３４】  既述の通りの手順に従い着付けることで、長着の着付けと異なり、迷うことなく簡単且つ短時間で着物を着用できる。更に、本発明においては、従来の二部式着物と異なり、おはしょりの部分や脇線の位置を自由に調整でき、つま先や裾線も、着あがり状態で長着の着物と同様に見える様に形成できる為、着物姿を美しくつくり上げる事ができる。
【００３５】  既存の二部式着物では、部品として面ファスナーや一般のファスナーを使用したものが多く見られるが、これらは接合部に不自然な厚みを出し、仕上がりの美しさを損なわせている。
また、部品が故障した際の修復時に、着物本体の生地を傷つけるおそれがある。
【００３６】  そして、それらの部品は設置位置が固定されていることから、着用者の体型の変化に合わせることが困難である。これに対応するためには、改めて着物本体から取り外し、設置位置を変更し、作り直す必要があるため、故障した際と同様に生地を傷める問題が生じる。
本発明において紐を選択した理由は、修復が簡単であり、それにより生地を傷める程度が低く、軽量で嵩張ることなくすっきりと仕上がる。加えて、着用者の体型の変化にも紐の位置を変更することなく、そのままの使用方法で対応可能であるという利点を重視したことによる。
【符号の説明】上衣
１．  衿
２．  袖
３．  下前身ごろ（右前見ごろ）
４．  上前身ごろ（左前身ごろ）
５．  上衣背縫い
６．  背紐
７．  下前の衿先
８．  上前の衿先
９．  上前衿先紐
１０．下前衿先紐
１１．左身八つ口
１２．下前のおはしょり紐
１３．上前のおはしょり紐
１４．右身八つ口
１５．おはしょり線
１６．衿付け
１７．左後身ごろ
１８．右後身ごろ
１９．掛衿止まり
２０．袖付け止まり
２１．衿肩
２２．下前おはしょり
２３．上前おはしょり
下衣
３０．腰線
３１．下衣背縫い
３２．脇縫い
３３．下前前身ごろ
３４．下前おくみ線
３５．下前おくみ
３６．下前衿下
３７．上前前身ごろ
３８．上前おくみ線
３９．上前おくみ
４０．上前衿下
４１．右後身ごろ
４２．左後身ごろ
４３．裾
４４．紐通し
４５．紐通しホール
４６．ウエスト紐
４７．裾線
【図１】
2017137608.tif 000002
【図２】
2017137608.tif 000003
【図３】
2017137608.tif 000004
【図４】
2017137608.tif 000005
【図５】
2017137608.tif 000006